(57)【要約】      （修正有）【課題】建設現場で型枠パネルの組立て固定する時に、型枠パネルの間隔幅を固定する役目のセパレータ軸棒の長さを調整するブロック接続固定金具の提供。【解決手段】下側のブロック接続固定金具本体の無ネジの空洞貫通孔３の中に挿し通して奥の雌ネジ貫通孔４に、基本セパレータ軸１の一方端軸ネジ２３を螺合して固定し、上側の大径突起雌ネジ貫通孔５の専用のブロック接続固定金具本体の貫通孔５の中に、調整セパレータ軸２の一方端軸ネジ２３を挿し通して貫通し、調整セパレータ軸２を引き伸ばして所望の長さとして、ブロック接続固定金具本体の上に設置してある六角頭部１０を右回転して締め付け固定する事で、基本セパレータ軸１と調整セパレータ軸２の長さを合わせて正確の長さに短時間で締め付ける。【選択図】図４
2019196684.tif 000002
【特許請求の範囲】
【請求項１】
本発明の接続方法は別々の接続工法であり、最初は下側に基本セパレータ軸専用のブロック接続固定金具本体Ｉ型と、その上に調整セパレータ軸専用のブロック接続固定金具本体ＩＩ型を、二段に重ねて一体に固定した処のセパレータ軸専用の接続固定金具本体であり、基本セパレータ軸専用のブロック接続固定金具本体Ｉ型の内部の構造は、無ネジの空洞貫通孔を奥深く形成し、その奥一部を正規の雌ネジの貫通孔に形成した処の接続固定金具本体であり、セパレータ軸の接続固定方法に付いては、最初の１本のセパレータ軸を基本セパレータ軸として、下側のブロック接続固定金具本体Ｉ型の無ネジの空洞貫通孔の中に挿し通して、その奥雌ネジ貫通孔の中に一方軸ネジを一杯に捩じ込んで固定した処で、余った軸ネジは、全て雌ネジ貫通孔の中から、外方向に伸びた状態で、はみ出される構造にされてあり、ブロック接続固定金具本体Ｉ型の内部の無ネジの空洞貫通孔の中は奥行きの余裕がある為に、セパレータ軸のネジ止め山と、ネック溝部と、基本セパレータ軸の一方が安定された状態で余裕持って確実に締付固定して保護するところを特徴とする処のブロック接続固定金具本体Ｉ型の構造である、
【請求項２】
接続固定金具本体は、上側の調整セパレータ軸専用のブロック接続固定金具本体ＩＩ型と、その下に、基本セパレータ軸専用のブロック接続固定金具本体Ｉ型を、二段に設けて一体に固定した処のブロック接続固定金具本体であり、調整セパレータ軸専用のブロック接続固定金具本体ＩＩ型の内部の構造は、大径突起雌ネジの貫通孔六角長ナットであり、六角長ナットの中央部の上面から縦下方向に雌ネジ貫通孔を、大径突起雌ネジ貫通孔の中心部までの間隔内に設けて形成し、形成された縦下方向の雌ネジ貫通孔に、六角頭部付き締付軸ネジの突先一部を螺合して設置した処で、締め付け軸ネジに付いては、六角頭部付き軸ネジに限らず、他の止めネジ軸を使用する事も可能であり、調整セパレータ軸専用のブロック接続固定金具本体ＩＩ型の大径突起雌ネジ貫通孔の中には、調整セパレータ軸の一方端軸ネジを挿して貫通した処で、基本セパレータ軸の長さも含めて、調整セパレータ軸の１本だけで、双方のセパレータ軸の総長さを正確の位置に確実に合わせるには、調整セパレータ軸の一方端軸ネジを一気に目的位置に引き伸ばして、基本セパレータ軸も含めて総長さが所望の長さの位置に達した処で、接続固定金具本体ＩＩ型の上に設置してある六角頭部を右回転して締付け固定する事で、締付軸ネジが雌ネジ孔に沿うって右回転されながら縦下方向に奥深く侵入して、奥の横方向に設置してある調整セパレータ軸の軸面に、締め付け軸ネジの突先が接触して、調整セパレータ軸の軸面を突起雌ネジ部に押し付けた処で、調整セパレータ軸の軸面が、突起雌ネジ部と締付軸ネジ部の突先一部の突起部との間に強力に挟まれて、調整セパレータ軸がその場で一気に締付固定するところを特徴とする処のブロック接続固定金具本体ＩＩ型の構造である。
【発明の詳細な説明】
【技術分野】
【０００１】  本発明は、建設現場で型枠パネルの組立て固定する時に、型枠パネルの間隔幅を固定する役目のセパレータ軸棒の長さを調整する関係の器具類である。【０００２】  従来のセパレータ軸の接続金具本体に付いては、全ての接続金具本体が、２本のセパレータ軸を同時に前後にスライドして、セパレータ軸の両端部が、目的の長さの寸法に位置されたら、その場で２本のセパレータ軸を同時に締付けて固定されていた。【０００３】  然し、従来のセパレータ軸の接続固定方法に付いては、２本のセパレータ軸を同時にセパレータ軸の接続金具の一つの貫通孔の中に挿し通して、２本のセパレータ軸を同時に前後にスライドして、セパレータ軸の両端部が目的の長さの寸法に達した処で、締付軸ピンを、２本のセパレータ軸と、軸の間に割り込んで２本のセパレータ軸を同時に締め付け固定するまでの間に、セパレータ軸の長さの寸法を、正確の長さの寸法に合わせるまでの事に付いていろいろと難問が多くて、中々難しい事である。【０００４】  前記の内容で、２本のセパレータ軸を接続金具本体の一つの貫通孔の中に挿し通して２本のセパレータ軸を同時に前後にスライドして、２本のセパレータ軸の両端部を、スケールで全長を測って、例え、所望の長さに位置されたとしても、その後に、スケールを外した時、又は、締付ネジ軸で締付けて固定する時に、多少にかかわらずセパレータ軸が長手方向に移動して、セパレータ軸の長さに狂いが起きることもある。【０００５】  前記の様なセパレータ軸の接続金具本体では、２本のセパレータ軸の長さを前後にスライドして、正確の１本の長さに接続固定する事は、時間だけが余計に掛かり過ぎて、中々難しい事である。
【発明の概要】
【発明が解決しようとする課題】
【０００６】  従来のセパレータ軸の接続固定金具本体は、２本のセパレータ軸の接続方法に付いては、セパレータ軸を挿し通して接続する孔が、一つだけであり、その一つの孔の中に２本のセパレータ軸を挿し通して貫通し、セパレータ軸の長さの調整をする時は、一つの孔の中で、２本のセパレータ軸を同時に前後にスライドして、２本のセパレータ軸の総長さが所望の長さに位置された処で、セパレータ軸とセパレータ軸の間に軸ピンを割り込んで、２本のセパレータ軸を同時に締付けて固定する仕掛けの固定方法で、従来のセパレータ軸の接続固定方法は、現在も同じ接続固定方法が行われているが、この接続固定方法は、２本のセパレータ軸の総長さを前後にスライドで正確に一つのセパレータ軸の長さに合わせて締付けて固定する事は、中々難しい事である。
【請求項１の詳細な説明】
【０００７】  本発明のセパレータ軸の接続工法は別々の工法であり、最初は、下側の▲１▼基本セパレータ軸専用のブロック接続固定金具本体Ｉ型と、その上の▲２▼調整セパレータ軸専用のブロック接続固定金具本体ＩＩ型を二段に重ねて一体に固定した処のセパレータ軸専用のブロック接続固定金具本体の構造であり、▲１▼基本セパレータ軸専用のブロック接続固定金具本体Ｉ型の内部の構造は、（３）無ネジの大径空洞貫通孔を奥深く形成して、その奥一部を正規の（４）雌ネジの貫通孔に形成した処の接続固定金具本体Ｉ型であり、
【０００８】  セパレータ軸の接続固定方法に付いては、最初の１本のセパレータ軸を（１）基本セパレータ軸として、下側のブロック接続固定金具本体Ｉ型の（３）無ネジの空洞貫通孔の中に基本セパレータ軸の一方軸ネジを挿し通して、その奥（４）雌ネジ貫通孔の中に、（１）基本セパレータ軸の一方軸ネジ（２３）を一杯に捩じ込んで固定した処で、余った軸ネジは、全て雌ネジ貫通孔（４）の中から外方向に伸びた状態ではみ出される構造にされてあり、
【０００９】  ブロック接続固定金具本体Ｉ型の内部の無ネジの空洞貫通孔（３）の中には、セパレータ軸部の止めネジ部（２２）と、ネック溝部（２１）と基本セパレータ軸（１）の一部が設置して、確実にブロック接続固定金具本体Ｉ型の無ネジの空洞貫通孔の中に、安定された状態の余裕持って、基本セパレータ軸の１部が確実に締付固定して保護されるところを特徴とする処の▲１▼ブロック接続固定金具本体Ｉ型の構造である、
【請求項２の詳細な説明】
【００１０】  セパレータ軸の接続固定金具本体は、上側の（２）調整セパレータ軸専用の▲２▼ブロック接続固定金具本体ＩＩ型と、その下に（１）基本セパレータ軸専用の▲１▼ブロック接続固定金具本体Ｉ型を、二段に設けて一体に固定した処のブロック接続固定金具本体であり、
（２）調整セパレータ軸専用の▲２▼ブロック接続固定金具本体ＩＩ型の内部の構造は、（５）大径突起雌ネジ貫通孔の六角長ナットの構造であり、
【００１１】▲２▼大径六角長ナットの中央部の上面から縦下方向に、（６）雌ネジ貫通孔を、（５）大径突起雌ネジ貫通孔の中心部までの間隔内に設けて形成し、形成された縦下方向の（６）雌ネジ貫通孔に、（１０）六角頭部付き締め付け（１１）軸ネジの突先一部を螺合して設置した処で、（１１）締め付け軸ネジに付いては、六角頭部付き軸ネジに限らず、他の止めネジ軸を使用する事も可能であり、
【００１２】（２）調整セパレータ軸専用の▲２▼ブロック接続固定金具本体ＩＩ型の（５）大径突起雌ネジ貫通孔の中には、（２）調整セパレータ軸の一方軸ネジを挿し通した処で（１）基本セパレータ軸の長さも含め（２）調整セパレータ軸の１本だけで、双方のセパレータ軸の総長さを正確の位置に確実に合わせるには、（２）調整セパレータ軸の一方端軸ネジを一気に目的位置に引き伸ばして、（１）基本セパレータ軸も含めて総長さが所望の長さの位置に達した処で、
【００１３】  ▲２▼ブロック接続固定金具本体ＩＩ型の中央部に設置してある六角頭部（１０）を右回転して、締め付け固定する事で、（１１）締め付け軸ネジが（６）雌ネジ孔に沿うって右回転されながら縦下方向に奥深く侵入して、奥の横方向に設置してある（２）調整セパレータ軸の軸面に、締め付け軸ネジの突先が接触して、調整セパレータ軸の軸面を突起雌ネジ部に押し付けた処で、（２）調整セパレータ軸の軸面が、突起雌ネジ部と締め付け軸ネジ部の突先一部の突起部との間に強力に挟まれて調整セパレータ軸が、その場で一気に締付固定するところを特徴とする処のブロック接続固定金具本体ＩＩ型の構造である。
【課題を解決するための手段】
【００１４】  従来のセパレータ軸の接続固定金具本体の構造に付いては、主に、２本のセパレータ軸を同時に前後にスライドして、双方のセパレータ軸の端部から端部の総長さを測り、所望の長さの位置に位置された処で、両方のセパレータ軸の間に軸ピンを割り込んで締め付け固定する事が、一般的のセパレータ軸の接続固定方法である。
【００１５】  しかし、前記の様な接続固定方法では、２本のセパレータ軸の長さを端部から端部の総長さを測る時に、双方のセパレータ軸共に、仮止めの装置が無い為に、セパレータ軸の長さに応じては、双方のセパレータ軸が僅かに流れ方向に移動して、正確の長さに合わせる事については、なかなか難しい事である。
【発明の効果】
【００１６】  本発明のセパレータ軸の接続固定金具本体の構造については、２本のセパレータ軸を合わせて１本の正確の長さに接続して固定する場合は、それぞれに別々の工法で、２本のセパレータ軸を僅かの時間で一気に確実の長さに接続固定する処が此の発明の特徴である。
【００１７】  本発明のセパレータ軸の接続固定金具本体に付いては、▲１▼基本セパレータ軸専用のブロック接続固定金具本体Ｉ型と、その上に▲２▼調整セパレータ軸専用のブロック接続固定金具本体ＩＩ型を一体に固定した処のセパレータ軸接続固定金具本体であり、２本のセパレータ軸の接続固定に付いては、最初の１本のセパレータ軸を基本セパレータ軸として、▲１▼ブロック接続固定金具本体Ｉ型の空洞貫通孔の中に挿し通して奥の雌ネジ貫通孔の中一杯に捩じ込んで固定した処で、基本セパレータ軸一本の接続が完了です。
【００１８】  次は、▲２▼ブロック接続固定金具本体ＩＩ型の大径突起雌ネジ貫通孔中に、調整セパレータ軸の一方端軸ネジを挿し通して貫通した処で、初めて２本のセパレータ軸の総長さを正確の長さにする為に、基本セパレータ軸の長さも含めて調整セパレータ軸の１本だけを、一気に所望の長さの位置に引っ張り伸ばして、所望の長さの位置に達した処で、上に設置してある六角頭部を右回転して締め付け固定する事で全ての作業が終了となり、以上の作業内容で、僅かの時間で確実に２本のセパレータ軸の長さが、正確で容易に締め付け固定する事の出来る処が、従来の接続固定金具に比較して、本発明の接続固定金具本体の方が正確で、作業時間も確実で早く終了される処が本発明の得意である。
【００１９】  尚、従来のセパレータ軸の接続固定内容に付いては、次の様な事が時々起きる事がある、その内容の理由に付いては次の様な事です、従来のセパレータ軸の接続固定金具本体の雌ネジ貫通孔に、セパレータ軸の一方端軸ネジを挿してネジ一杯に螺合して固定し、他の一方の接続固定金具本体にも同じ要領で２本目のセパレータ軸を接続固定して、セパレータ軸の両端部を強く引っ張ると、セパレータ軸部のネック溝部でセパレータ軸が横方向に捻じれて、セパレータ軸が脆く成る原因が起こる。
【００２０】  本発明のセパレータ軸の接続固定金具本体は、セパレータ軸の接続固定金具本体の基本セパレータ軸の挿し込み孔が、無ネジの空洞貫通孔であり、調整セパレータ軸の方は、大径突起雌ネジ貫通孔に形成されてある為に、先ず、従来の様な悪条件の欠点が起こる様な事が全くありません。
【図面の簡単な説明】
【００２１】
【図１】は、ブロック接続固定金具本体の側面図である。
【図２】は、ブロック接続固定金具本体の正面図である。
【図３】は、ブロック接続固定金具本体の側断面図であり、一部基本セパレータ軸の側面図である。
【図４】は、ブロック接続固定金具本体の一部断面図とブロック接続固定金具本体の側面図と、基本セパレータ軸と、調整セパレータ軸の側面図である。
【図５】は、六角頭部付き締め込み軸ネジは、一体である
【図６】は、ブロック接続固定金具本体の側断面図である
【発明を実施するための形態】
【００２１】  本発明の目的を達する為に、上下に▲１▼と▲２▼の専用のブロック接続固定金具本体を一体に設けて固定した処で、セパレータ軸の接続に付いては、最初に、下側の▲１▼ブロック接接続金具本体の無ネジの空洞貫通孔（３）の中に、（１）基本セパレータ軸の一方端軸ネジ（２２）を挿し通して、その奥雌ネジ貫通孔（４）に螺合して固定した処で、（１）基本セパレータ軸の１本が完全に無ネジの空洞貫通孔の中に固定して完全に保護された処である。
【実施例】
【００２３】  次は、上側の▲２▼ブロック接続固定金具本体の（５）突起雌ネジ貫通孔の中に、（２）調整セパレータ軸の一方端の軸ネジ（２３）雄ネジを（５）貫通孔の中に挿し通して貫通して貫通した処で、（１）基本セパレータ軸の長さも含めて（２）調整セパレータ軸の１本だけで、基本セパレータ軸の長さも含めて調整セパレータ軸１本だけで、セパレータ軸の総長さを正確の長さに調整して締め付け固定する事に付いては、【００２４】  （２）調整セパレータ軸の１本だけで、セパレータ軸の総長さの調整は、▲２▼調整セパレータ軸専用のブロック接続固定金具本体の（５）大径突起雌ネジ貫通孔の中に、（２）調整セパレータ軸の一方端の軸ネジ（２３）を挿し通して貫通した処で、一気に軸ネジ（２３）を目的の総長さの位置に引き伸ばして、（１）基本セパレータ軸の端部から（２）調整セパレータ軸の端部の距離を測り、所望の長さの位置に位置した処で、▲２▼の上に設置してある六角頭部（１０）を右回転して一気に締め付け固定する事で、僅かの時間で、（１）と（２）のセパレータ軸の総長さを、一気に長さの調整と締め付け固定が、確実の長さに接続固定が完了とする。【００２５】  従来のセパレータ軸の接続固定金具本体には、本発明に設けてある▲１▼ブロック接続固定金具本体と▲２▼ブロック接続固定金具本体の内部の構造部が従来の接続固定金具本体には、含まれてありません為に、本発明のセパレータ軸の接続固定金具本体と、同様の操作が、出来ないのである。
【産業上の利用可能性】
【００２６】  本発明のセパレータ軸接続固定金具本体の構造は、従来の接続固定方法とは、異なったセパレータ軸の接続工法であり、本発明のブロック接続固定金具本体は、セパレータ軸を、接続固定する時に、建設現場の悪条件の場所腕あっても、セパレータ軸の接続固定に付いては、確実に正確の寸法に短時間で接続固定する事が出来る。
【符号の簡単な説明】
【００２７】▲１▼は、基本セパレータ軸専用のブロック接続固定金具本体Ｉ型。
▲２▼は、調整セパレータ軸専用のブロック接続固定金具本体ＩＩ型。
（Ｘ）は、▲１▼と▲２▼の境界線であり、電気溶接の接着固定個所部分。
（１）基本セパレータ軸。
（２）調整セパレータ軸。
（３）無ネジの空洞孔。
（４）雌ネジの貫通孔。
（５）突起雌ネジの貫通孔。
（６）縦下方向の雌ネジ貫通孔。
（１０）六角頭部と雄ネジは一体である。
（１１）軸ネジ又は雄ネジ
（１２）締付軸ネジの突先窪み角突起部。
（２１）軸のネック部
（２２）軸止めのネジ溝部
（２３）軸ネジ又は雄ネジ。
【図１】
2019196684.tif 000003
【図２】
2019196684.tif 000004
【図３】
2019196684.tif 000005
【図４】
2019196684.tif 000006
【図５】
2019196684.tif 000007
【図６】
2019196684.tif 000008
【手続補正書】
【提出日】平成30年8月15日(2018.8.15)
【手続補正２】
【補正対象書類名】特許請求の範囲
【補正対象項目名】全文
【補正方法】変更
【補正の内容】
【特許請求の範囲】
【請求項１】
セパレータ軸の接続固定方法は、それぞれに別々の接続固定方法であり、最初は下側に基本セパレータ軸専用の雌ネジ貫通孔の外形が六角筒状の接続固定金具本体Ｉ型と、その上に調整セパレータ軸専用の大径雌ネジ貫通孔の外形が六角筒状の接続固定金具本体ＩＩ型の外形六角面の側面同士を二段に重ね合わせて一体に固定した処を、ブロック型セパレータ軸専用の接続固定金具本体１型であり、基本セパレータ軸専用のブロック型接続固定金具本体Ｉ型の内部の構造は、セパレータ軸ネジの一方を挿し込み口から、その奥深く無ネジの空洞貫通孔に設けて形成し、その奥一部端を正規の雌ネジ貫通孔に形成した処が接続固定金具本体Ｉ型である、  セパレータ軸の接続固定方法に付いては、最初の１本のセパレータ軸を基本セパレータ軸として無ネジの空洞貫通孔の中に、セパレータ軸の一方挿し通して貫通し、その奥一部に雌ネジ貫通孔を設けて形成し、その貫通孔の中に、基本セパレータ軸の一方軸ネジを一杯に捩じ込んで固定した処で、余った軸ネジは、全て伸びた状態で無ネジの空洞貫通孔の中から、外方向にはみ出される構造にされてあり、無ネジの空洞貫通孔の空洞間隔の長さは、奥行の内部の間隔が十分に余裕を設けてある為に、基本セパレータ軸を保護するためには、無ネジの空洞貫通孔の中奥深く基本セパレータ軸の一方端軸ネジを挿し通して、その奥に形成されてある正規の雌ネジ貫通孔の中に基本セパレータ軸の一方端軸ネジを一杯に捩じ込んで固定する事で、基本セパレータ軸が切断がされない事を確実に保護されて、無ネジの空洞貫通孔の中には、軸ネジのネジ止め山と、ネック溝部が無ネジの空洞孔の中に残されてある為に、確実な方法で基本セパレータ軸が空洞貫通孔の中に保護されてある為に、例えば固定されてある基本セパレータ軸の一方の軸端を斜面角度に強い力で引っ張っても、基本セパレータ軸は斜面角度には折れ曲がっても、基本セパレータ軸が切断される事が全く起こらない為に、基本セパレータ軸の一部と、止めネジ山とネック溝部が、空洞貫通孔の中に確実に保護さて、基本セパレータ軸が全く切断されない構造にされたところを特徴とする処のセパレータ軸専用の切断防止装置の無ネジの空洞貫通孔に設けて形成された処の六角形筒状のブロック型セパレータ軸接続固定金具本体Ｉ型である、
【請求項２】
接続固定金具本体ＩＩ型は、上側に調整セパレータ軸専用の大径六角形筒状の接続固定金具本体ＩＩ型として、その下に基本セパレータ軸専用の六角形筒状の接続固定金具本体Ｉ型の側面と調整セパレータ軸専用の大径六角筒状の側面同士を一つに合わせて一体に固定した処の大径六角形筒状のブロック型接続固定金具本体１型と本体ＩＩ型の構造物であり、調整セパレータ軸専用の大径六角筒状のブロック型接続固定金具本体ＩＩ型の内部構造の内径は、円筒形の大径突起雌ネジ貫通孔筒状であり、外形は六角形長ナットの構造であり、大径六角筒状の長ナット  の中央部の上面から縦下方向に、雌ネジ貫通孔を大径突起雌ネジ貫通孔の中心部までの間隔内に設けて形成し、形成された縦下方向の雌ネジ貫通孔に、六角頭部付き締付軸ネジの突先一部を螺合してセットした処で、締め付け軸ネジに付いては、六角頭部付き軸ネジに限らず、他の止め軸ネジを使用する事も可能であり、調整セパレータ軸専用の筒状ブロック型接続固定金具本体ＩＩ型で、調整セパレータ軸の接続固定に付いては、大径突起雌ネジ貫通孔の中に、調整セパレータ軸の一方軸ネジを挿して貫通した処で、只今貫通した調整セパレータ軸の一方軸ネジの軸端を一気に基本セパレータ軸の長さも含めて調整セパレータ軸の１本だけで双方のセパレータ軸の総長さの目的位置の長さに引き伸ばして、基本セパレータ軸の長も含めて双方のセパレータ軸の総長さに達した処で、上に設置してある六角頭部付き締め付け軸ネジを右回転して締め付け固定する事で、締め付け軸ネジが右回転されながら雌ネジ孔に沿うって縦下方向に奥深く侵入して、横方向に設置されてある調整セパレータ軸の軸面に、六角頭部付き軸ネジの突先突起部の一部が、横方向に設置してある調整セパレータ軸面に接触して、調整セパレータ軸が、その場で奥方向に強く押されて奥に固定されてある突起雌ネジ壁の突起雌ネジ部に接触されて、調整セパレータ軸は六角頭部付き締付け軸ネジの突先一部の突起部と突起雌ネジ壁の突起部との間に強力に挟まれて、その場で調整セパレータ軸が一気に締付固定するところを特徴とする処のブロック型セパレータ接続固定金具本体ＩＩ型の構造物である、
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
端部に雄ネジが設けられた基本セパレータ軸と、
前記基本セパレータ軸とは別に設けられた調整セパレータ軸と、
前記基本セパレータ軸を接続固定するための六角筒状の接続固定金具本体Ｉ型と、
前記接続固定金具本体Ｉ型の側面に一体に固定されると共に、前記調整セパレータ軸を接続固定するための六角筒状の接続固定金具本体ＩＩ型と、を備え、
前記接続固定金具本体Ｉ型は、内径が前記基本セパレータ軸の外径よりも大きい空洞貫通孔部と、内側面に前記基本セパレータ軸に設けられた雄ネジが螺合する雌ねじが形成された雌ネジ貫通孔部とを有し、
前記基本セパレータ軸は、前記雄ネジとの境界に当該雄ネジの外径よりも大きな径を有するネジ止め山と、前記ネジ止め山を挟んで前記雄ネジと反対側に配置されたネック溝部を有し、
前記基本セパレータ軸に設けられた雄ネジは、前記雌ネジ貫通孔部の雌ネジの長さより大きい長さを有することを特徴とするセパレータ軸接続固定金具。
【請求項２】
前記接続固定金具本体ＩＩ型は、前記調整セパレータ軸を挿通するための貫通孔と、前記貫通孔に挿し込まれた前記調整セパレータ軸を固定するための六角頭部を有する締付軸ネジを螺合する為の雌ネジ貫通孔とを有し、
前記雌ネジ貫通孔は、前記接続固定金具本体ＩＩ型の中央部の上面から縦下方向に前記貫通孔まで貫通するように形成されており、
前記締付軸ネジは、前記雌ネジ貫通孔に、前記締付軸ネジの突先一部を螺合して設置されており、
前記締付軸ネジの突先には窪みが形成され、当該窪みの外周に、前記貫通孔に挿し込まれた前記調整セパレータ軸を締め付け固定するための突起部を有することを特徴とする請求項１に記載のセパレータ軸接続固定金具。